(57)【要約】【課題】節度切り替え装置を小さく構成すること。【解決手段】節度切り替え装置は、略円柱形状部材の上面、下面、および側面の少なくとも２つの面にそれぞれ異なるピッチの凹凸パターンを有する節度部７１、７２が形成された第１部材７０と、節度部７１、７２が形成された第１部材７０の面と対向する少なくとも２つの面にそれぞれ凹凸パターンと弾接するプランジャ部６１−１、２、６２−１、２、６３−１、２を有する第２部材６０と、第１部材７０と第２部材６０との間でプランジャ部６１−１、２、６２−１、２、６３−１、２が弾接する面を切り替えるように、第１部材７０または第２部材６０を移動させるための移動操作部材と、を備え、第１部材７０または第２部材６０が第１部材７０の中心軸Ａｘ回りに回転可能である。【選択図】図２
2015153576.tif 000002
【特許請求の範囲】
【請求項１】
略円柱形状部材の上面、下面、および側面の少なくとも２つの面にそれぞれ異なるピッチの凹凸パターンを有する節度部が形成された第１部材と、
前記節度部が形成された前記第１部材の面と対向する少なくとも２つの面にそれぞれ前記凹凸パターンと弾接するプランジャ部を有する第２部材と、
前記第１部材と前記第２部材との間で前記プランジャ部が弾接する面を切り替えるように、前記第１部材または前記第２部材を移動させるための移動操作部材と、を備え、
前記第１部材または前記第２部材が前記第１部材の中心軸回りに回転可能であることを特徴とする節度切り替え装置。
【請求項２】
請求項１に記載の節度切り替え装置において、
前記移動操作部材の操作に応じて、前記第１部材が前記第２部材に対して上下に移動して前記第１部材と前記第２部材との間で前記プランジャ部が弾接する面を切り替えることを特徴とする節度切り替え装置。
【請求項３】
請求項２に記載の節度切り替え装置において、
前記第１部材は、前記第１部材の前記側面と前記第２部材との間で常に前記プランジャ部を弾接させながら上下に移動することを特徴とする節度切り替え装置。
【請求項４】
請求項３に記載の節度切り替え装置において、
前記第１部材は、前記略円柱形状部材の前記上面および前記側面にそれぞれ前記節度部が形成され、
前記移動操作部材の操作に応じて、前記第１部材の前記上面および前記側面と前記第２部材との間で前記プランジャ部が弾接する第１状態と、前記第１部材の前記側面と前記第２部材との間で前記プランジャ部が弾接する第２状態と、が切り替わることを特徴とする節度切り替え装置。
【請求項５】
請求項４に記載の節度切り替え装置において、
前記第１部材はさらに、前記略円柱形状部材の前記下面に前記節度部が形成され、
前記移動操作部材の操作に応じて、前記第１状態と、前記第２状態と、前記第１部材の前記下面および前記側面と前記第２部材との間で前記プランジャ部が弾接する第３状態と、が切り替わることを特徴とする節度切り替え装置。
【請求項６】
請求項２に記載の節度切り替え装置において、
前記第１部材は、前記略円柱形状部材の前記上面または前記下面と、前記側面とにそれぞれ前記節度部が形成され、
前記移動操作部材の操作に応じて、前記第１部材の前記上面または前記下面と前記第２部材との間で前記プランジャ部が弾接する第１状態と、前記第１部材の前記側面と前記第２部材との間で前記プランジャ部が弾接する第２状態と、が切り替わることを特徴とする節度切り替え装置。
【請求項７】
請求項６に記載の節度切り替え装置において、
前記第１部材は、前記略円柱形状部材の前記上面と、前記下面と、前記側面とにそれぞれ前記節度部が形成され、
前記移動操作部材の操作に応じて、前記第１部材の前記上面と前記第２部材との間で前記プランジャ部が弾接する第１状態と、前記第１部材の前記側面と前記第２部材との間で前記プランジャ部が弾接する第２状態と、前記第１部材の前記下面と前記第２部材との間で前記プランジャ部が弾接する第３状態と、が切り替わることを特徴とする節度切り替え装置。
【請求項８】
請求項１〜７のいずれか一項に記載の節度切り替え装置において、
前記第１部材または前記第２部材を回転させる回転操作部材に設けられ、前記第１部材に形成された前記節度部の異なるピッチに対応する複数の照明表示窓と、
前記複数の照明表示窓へそれぞれ照明光を導く複数の管状の導光部材と、
前記移動操作部材の操作に応じた前記第１部材または前記第２部材の移動に連動して前記複数の導光部材への光路切り替えを行う光路切り替え部と、
を備えることを特徴とする節度切り替え装置。
【請求項９】
請求項８に記載の節度切り替え装置において、
前記光路切り替え部は、前記照明光を発する光源が前記移動操作部材の操作に応じて前記第１部材とともに移動し、前記照明光を入射する前記導光部材を切り替えることを特徴とする節度切り替え装置。
【請求項１０】
請求項１〜９のいずれか一項に記載の節度切り替え装置を備えることを特徴とするカメラ。
【発明の詳細な説明】
【技術分野】
【０００１】
本発明は、節度切り替え装置、およびカメラに関する。
【背景技術】
【０００２】
節度ピッチを多段階に切り替え可能なロータリスイッチが知られている（特許文献１参照）。ダイヤルノブと一体で回動可能な円板形状の節度山部材の底面に、節度ピッチが異なる３つの凹凸パターンを同心円状に設ける点が開示されている。また、ダイヤルノブと一体で回動可能な円柱形状の節度山部材の側面に、節度ピッチが異なる３つの凹凸パターンを設ける例も開示されている。
【先行技術文献】
【特許文献】
【０００３】
【特許文献１】特開２００８−１９１８４３号公報
【発明の概要】
【発明が解決しようとする課題】
【０００４】
従来技術では、節度山部材の底面または側面に節度ピッチが異なる複数の凹凸パターンを設けるため、１つの凹凸パターンを設ける場合に比べて、節度山部材の底面または側面に広い面積を確保しなければならず、節度山部材の小型化が困難であった。
【課題を解決するための手段】
【０００５】
本発明による節度切り替え装置は、略円柱形状部材の上面、下面、および側面の少なくとも２つの面にそれぞれ異なるピッチの凹凸パターンを有する節度部が形成された第１部材と、節度部が形成された第１部材の面と対向する少なくとも２つの面にそれぞれ凹凸パターンと弾接するプランジャ部を有する第２部材と、第１部材と第２部材との間でプランジャ部が弾接する面を切り替えるように、第１部材または第２部材を移動させるための移動操作部材と、を備え、第１部材または第２部材が第１部材の中心軸回りに回転可能であることを特徴とする。
【発明の効果】
【０００６】
本発明によれば、節度切り替え装置を小さく構成できる。
【図面の簡単な説明】
【０００７】
【図１】本発明の一実施の形態による回転操作部材を備えるカメラの外観を例示する図である。
【図２】図２(a)は、回転操作部材３０の要部構成を説明する断面図、図２(b)は、回転子部材および固定子部材を上から見た図である。
【図３】固定子部材を説明する斜視図である。
【図４】回転操作部材の要部構成を説明する断面図である。
【図５】回転操作部材の要部構成を説明する断面図である。
【図６】図６(a)は、露出補正ダイヤルを上から見た図、図６(b)は、露出補正ダイヤル内に配線されている導光部材を説明する図である。
【図７】回転操作部材の要部構成を説明する断面図である。
【図８】照明光学系の拡大図である。
【図９】回転操作部材の要部構成を説明する断面図である。
【図１０】回転操作部材の要部構成を説明する断面図である。
【発明を実施するための形態】
【０００８】
以下、図面を参照して本発明を実施するための形態について説明する。図１は、本発明の一実施の形態による回転操作部材を備えるカメラ１０の外観を例示する図である。図１において、カメラ１０の正面１１には、撮影レンズ２０が設けられている。カメラ１０の上面１２には、露出補正ダイヤル３１と、レリーズボタン４０と、電源スイッチ５０と、が設けられている。カメラ１０の側面１３には、補正ステップ切り替えスイッチ３２が設けられている。
【０００９】
カメラ１０は、回転操作部材３０（図２）を露出補正の設定値の変更操作に用いる。露出補正ダイヤル３１は、回転操作部材３０を構成する。補正ステップ切り替えスイッチ３２は、回転操作部材３０の節度ピッチを切り替えるためのスライド操作部材である。節度ピッチの詳細については後述する。レリーズボタン４０は、カメラ１０に撮影動作を開始させるための押下操作部材である。電源スイッチ５０は、カメラ１０の電源オン状態と電源オフ状態とを切り替えるための押下操作部材である。
【００１０】
＜節度ピッチ切り替え＞
補正ステップ切り替えスイッチ３２は、ユーザー操作によって図１の上下方向に３段階に操作可能に構成されている。具体的には、補正ステップ切り替えスイッチ３２をＡ位置へ移動させた状態（第１状態）と、補正ステップ切り替えスイッチ３２をＢ位置へ移動させた状態（第２状態）と、補正ステップ切り替えスイッチ３２をＣ位置へ移動させた状態（第３状態）と、が選べる。補正ステップ切り替えスイッチ３２の切り替え操作に連動して、カメラ１０の内部において回転操作部材３０の節度ピッチが切り替わるように構成される。
【００１１】
露出補正の設定範囲は、±方向それぞれに、例えば３段（３ＥＶ）である。ユーザーは、露出補正の設定値を１／３ＥＶステップで変更したい場合に補正ステップ切り替えスイッチ３２を第１状態（Ａ位置）へ切り替える。これにより、カメラ１０は、回転操作部材３０の節度ピッチを１／３ＥＶステップとし、露出補正の設定値の変更操作を１／３ＥＶステップで受け付ける。
【００１２】
また、ユーザーは、露出補正の設定値を１ＥＶステップで変更したい場合に補正ステップ切り替えスイッチ３２を第２状態（Ｂ位置）へ切り替える。これにより、カメラ１０は、回転操作部材３０の節度ピッチを１ＥＶステップとし、露出補正の設定値の変更操作を１ＥＶステップで受け付ける。
【００１３】
さらにまた、ユーザーは、露出補正の設定値を１／２ＥＶステップで変更したい場合に補正ステップ切り替えスイッチ３２を第３状態（Ｃ位置）へ切り替える。これにより、カメラ１０は、回転操作部材３０の節度ピッチを１／２ＥＶステップとし、露出補正の設定値の変更操作を１／２ＥＶステップで受け付ける。
【００１４】
図２(a)は、回転操作部材３０の要部構成を説明する断面図である。回転操作部材３０の回転中心となる円筒部材６５は、回転子部材６０と一体に構成される。円筒部材６５は、カメラ１０の筐体の上面１２に設けられた孔からカメラ１０の外側へ突出する。突出された円筒部材６５の開口を上から塞ぐように、カメラ１０の外部に露出補正ダイヤル３１が固定される。カメラ１０の筐体の内側では、取り付け部材３３が円筒部材６５に固定されている。このように、露出補正ダイヤル３１と取り付け部材３３との間にカメラ１０の上面１２を構成する筐体を挟むように構成される。なお、露出補正ダイヤル３１と取り付け部材３３との間隔は、回転操作部材３０の回転を阻害せず、かつ回転操作部材３０のがたつきを発生させない適度な隙間が確保される。以上の構成により、露出補正ダイヤル３１、円筒部材６５および回転子部材６０が一体となって、円筒部材６５の中心軸Ａｘの回りに回転可能である。
【００１５】
回転子部材６０は、固定子部材７０を囲むように構成される。図２(b)は、図２(a)の回転子部材６０および固定子部材７０を上から見た図である。回転子部材６０は、略円柱形状の固定子部材７０を帯状（当該円柱における円の直径方向）に囲むように構成されている。固定子部材７０の中心軸は、円筒部材６５の中心軸Ａｘと一致する。
【００１６】
図３は、固定子部材７０を説明する斜視図である。固定子部材７０の上面７０Ａには、回転中心Ｏから所定半径の円周上に所定の間隔で複数の穴（凹部）７１が設けられる。固定子部材７０の側面７０Ｂには、周方向に所定の間隔で複数の溝（凹部）７２が設けられる。固定子部材７０の下面７０Ｃには、所定半径の円周上に所定の間隔で複数の不図示の穴（凹部）が設けられる。これらの穴７１や溝７２、不図示の穴は、後述するプランジャを嵌合させて節度感を発生させるために設けられる。
【００１７】
固定子部材７０の上面７０Ａにおける複数の穴７１の間隔は、１／３ＥＶステップに相当する露出補正ダイヤル３１の回転角度に対応する。固定子部材７０の側面７０Ｂに設けられている複数の溝７２の間隔は、１ＥＶステップに相当する露出補正ダイヤル３１の回転角度（略４５度）に対応する。固定子部材７０の下面７０Ｃに設けられている不図示の複数の穴の間隔は、１／２ＥＶステップに相当する露出補正ダイヤル３１の回転角度に対応する。
【００１８】
＜１／３ＥＶステップおよび１ＥＶステップ＞
図２(a)の回転子部材６０において、固定子部材７０の上面７０Ａに対向する位置に、プランジャ６１−１およびプランジャ６１−２が設けられている。両プランジャ６１−１、６１−２は、それぞれスプリングによって先端のボール部を固定子部材７０の上面７０Ａに向けて付勢する。
【００１９】
ユーザーによる露出補正ダイヤル３１の回転操作に応じて回転子部材６０が固定子部材７０の周りを回転すると、プランジャ６１−１およびプランジャ６１−２の位置が、固定子部材７０の上面７０Ａ（図３）を滑る状態と、上面７０Ａに設けられている複数の穴７１（図３）のいずれかに嵌合する状態とが繰り返される。上述したように、固定子部材７０の上面７０Ａにおける複数の穴７１の間隔は、１／３ＥＶステップに相当する露出補正ダイヤル３１の回転角度に対応することから、１／３ＥＶステップの節度感を発生させる。
【００２０】
また、回転子部材６０において固定子部材７０の側面７０Ｂに対向する位置に、プランジャ６２−１およびプランジャ６２−２が設けられている。両プランジャ６２−１、６２−２は、それぞれスプリングによって先端のボール部を固定子部材７０の側面７０Ｂに向けて付勢する。
【００２１】
ユーザーによる露出補正ダイヤル３１の回転操作に応じて回転子部材６０が固定子部材７０の周りを回転すると、プランジャ６２−１およびプランジャ６２−２の位置が、固定子部材７０の側面７０Ｂを滑る状態と、側面７０Ｂに設けられている複数の溝７２のいずれかに嵌合する状態とが繰り返される。上述したように、固定子部材７０の側面７０Ｂにおける複数の溝７２の間隔は、１ＥＶステップに相当する露出補正ダイヤル３１の回転角度（略４５度）に対応することから、１ＥＶステップの節度感を発生させる。
【００２２】
本実施形態では、補正ステップ切り替えスイッチ３２の切り替え操作に連動する不図示の移動機構により、固定子部材７０が回転子部材６０に囲まれた空間内をガイド８１に沿って上下に移動する。図２(a)は、補正ステップ切り替えスイッチ３２が第１状態（Ａ位置）へ切り替えられ、固定子部材７０が回転子部材６０に囲まれた空間内において最上位の位置へ移動した状態に相当する。以上の構成により、第１状態（Ａ位置）において、ユーザーは１ＥＶステップおよび１／３ＥＶステップの双方の節度感を得ることができる。
【００２３】
＜１ＥＶステップ＞
補正ステップ切り替えスイッチ３２が第２状態（Ｂ位置）へ切り替えられた場合、図４に例示するように、固定子部材７０が回転子部材６０に囲まれた空間内において中間位置へ移動する。図４において、ユーザーによる露出補正ダイヤル３１の回転操作に応じて回転子部材６０が固定子部材７０の周りを回転すると、プランジャ６２−１およびプランジャ６２−２のみが、固定子部材７０の側面７０Ｂを滑る状態と、側面７０Ｂに設けられている複数の溝７２のいずれかに嵌合する状態とを繰り返す。上述したように、固定子部材７０の側面７０Ｂにおける複数の溝７２の間隔は、１ＥＶステップに相当する露出補正ダイヤル３１の回転角度（略４５度）に対応することから、１ＥＶステップの節度感を発生させる。以上の構成により、第２状態（Ｂ位置）において、ユーザーは１ＥＶステップの節度感を得ることができる。
【００２４】
＜１ＥＶステップおよび１／２ＥＶステップ＞
補正ステップ切り替えスイッチ３２が第３状態（Ｃ位置）へ切り替えられた場合、図５に例示するように、固定子部材７０が回転子部材６０に囲まれた空間内において最下位の位置へ移動する。図５において、ユーザーによる露出補正ダイヤル３１の回転操作に応じて回転子部材６０が固定子部材７０の周りを回転すると、プランジャ６２−１およびプランジャ６２−２が、固定子部材７０の側面７０Ｂを滑る状態と、側面７０Ｂに設けられている複数の溝７２のいずれかに嵌合する状態とを繰り返す。
【００２５】
また、回転子部材６０において固定子部材７０の下面７０Ｃに対向する位置に、プランジャ６３−１およびプランジャ６３−２が設けられている。両プランジャ６３−１、６３−２は、それぞれスプリングによって先端のボール部を固定子部材７０の下面７０Ｃに向けて付勢する。
【００２６】
ユーザーによる露出補正ダイヤル３１の回転操作に応じて回転子部材６０が固定子部材７０の周りを回転すると、プランジャ６３−１およびプランジャ６３−２の位置が、固定子部材７０の下面７０Ｃ（図３）を滑る状態と、下面７０Ｃに設けられている複数の不図示の穴のいずれかに嵌合する状態とが繰り返される。上述したように、固定子部材７０の下面７０Ｃにおける複数の穴の間隔は、１／２ＥＶステップに相当する露出補正ダイヤル３１の回転角度に対応することから、１／２ＥＶステップの節度感を発生させる。以上の構成により、第３状態（Ｃ位置）において、ユーザーは１ＥＶステップおよび１／２ＥＶステップの双方の節度感を得ることができる。
【００２７】
＜照明切り替え＞
露出補正ダイヤル３１には、節度ピッチの切り替え状態、すなわち露出補正の設定状態を示す照明表示が行われる。本実施形態では、節度ピッチの切り替えに連動させて照明表示の切り替えを行う。図６(a)は、露出補正ダイヤル３１を上から見た図である。露出補正ダイヤル３１上の１ＥＶステップに対応する位置に０〜±３の範囲で数値が付され、かつ透過照明窓３１Ｂが設けられている。また、１／３ＥＶステップに対応する位置には、透過照明窓３１Ａが設けられている。さらに、１／２ＥＶステップに対応する位置には、透過照明窓３１Ｃが設けられている。
【００２８】
図６(b)は、露出補正ダイヤル３１内に配線されている導光部材を説明する図である。図６(b)において、３系統の導光部材１０１〜１０３がそれぞれ配線されている。導光部材１０１〜１０３は、それぞれ側面漏光型光ファイバによって構成される。導光部材１０１は、透過照明窓３１Ｂの下に配線される。また、導光部材１０２は、透過照明窓３１Ａの下に配線される。さらに、導光部材１０３は、透過照明窓３１Ｃの下に配線される。各導光部材１０１〜１０３は、回転操作部材３０の内部からの照明光を露出補正ダイヤル３１へ導くため、円筒部材６５（図２(a)）の内部を経由して露出補正ダイヤル３１まで配線されている。
【００２９】
導光部材１０１を伝わる光は、１ＥＶステップに対応する位置の透過照明窓３１Ｂを照明する。導光部材１０２を伝わる光は、１／３ＥＶステップに対応する位置の透過照明窓３１Ａを照明する。導光部材１０３を伝わる光は、１／２ＥＶステップに対応する位置の透過照明窓３１Ｃを照明する
【００３０】
本実施形態では、固定子部材７０が回転子部材６０に囲まれた空間内を上下に移動すると、上述した節度切り替えとともに照明切り替えも行う。図７は、補正ステップ切り替えスイッチ３２が第１状態（Ａ位置）へ切り替えられた場合における照明光学系の要部構成を説明する断面図である。節度切り替えを説明した図２(a)に比べて、回転子部材６０を省略し、照明光学系を追加して図示する。
【００３１】
図７において、照明光学系は固定子部材７０の底部７６の上に設けられる。図８は、照明光学系の拡大図である。照明光学系は、光源１００と、遮光部材７３および遮光部材７７と、光源１００と、透光部材７４および透光部材７５とを有する。底部７６の上に遮光部材７３が設けられ、遮光部材７３の上に光源１００（例えばＬＥＤ）が設けられる。光源１００は、略円筒形状の透光部材７４で囲まれている。透光部材７４の上から重ねて、略円筒形状の遮光部材７７が重ねられている。遮光部材７７の下部において光源１００の上に、透光部材７５が設けられている。以上のように底部７６の上に設けられた照明光学系は、固定子部材７０とともに上下に移動する。
【００３２】
図７において、円筒部材６５の内部に、図８に示す導光部６６が設けられている。図８を参照すると、導光部６６は、遮光材料によって略円筒形状に構成される。上述した照明光学系は、導光部６６の内部空間に挿入されている。導光部６６は円筒部材６５に固定されるので、露出補正ダイヤル３１が回転する場合、露出補正ダイヤル３１の回転とともに導光部６６が照明光学系の周りを回転する。照明光学系（光源１００等）と導光部６６とは非接触なので、露出補正ダイヤル３１をいくら回転させても部材のねじれや接触不良のおそれがない。
【００３３】
＜１／３ＥＶステップおよび１ＥＶステップ＞
補正ステップ切り替えスイッチ３２が第１状態（Ａ位置）に切り替えられると、図７、図８に示すように、導光部６６に設けられた開口６６Ａが光源１００に対向する位置へ移動する。この結果、光源１００からの光が導光部材１０２を伝わって１／３ＥＶステップに対応する位置の透過照明窓３１Ａを照明する。一方、導光部６６に設けられた開口６６Ｃは、遮光部材７３を挟んで光源１００と反対側にある底部７６に対向するので、導光部材１０３には光源１００からの光が導かれない。なお、導光部材１０１に対しては光源１００からの光が常に入射されるので、導光部材１０１を伝わった光が１ＥＶステップに対応する位置の透過照明窓３１Ｂを照明する。以上の構成により、第１状態（Ａ位置）においては、１ＥＶステップおよび１／３ＥＶステップの双方の透過照明窓３１Ａ、３１Ｂが照明される。
【００３４】
＜１ＥＶステップ＞
補正ステップ切り替えスイッチ３２が第２状態（Ｂ位置）へ切り替えられると、図９に示すように、固定子部材７０が回転子部材６０に囲まれた空間内において中間位置へ移動する。図９の場合は、図８の導光部６６に設けられた開口６６Ａが遮光部材７７に対向するので、導光部材１０２には光源１００からの光が導かれない。また、導光部６６に設けられた開口６６Ｃは、遮光部材７３を挟んで光源１００と反対側にある底部７６に対向するので、導光部材１０３にも光源１００からの光が導かれない。一方、導光部材１０１に対しては光源１００からの光が常に入射されるので、導光部材１０１を伝わった光が１ＥＶステップに対応する位置の透過照明窓３１Ｂを照明する。以上の構成により、第２状態（Ｂ位置）においては、１ＥＶステップの透過照明窓３１Ｂのみが照明される。
【００３５】
＜１ＥＶステップおよび１／２ＥＶステップ＞
補正ステップ切り替えスイッチ３２が第３状態（Ｃ位置）へ切り替えられると、図１０に示すように、固定子部材７０が回転子部材６０に囲まれた空間内において最下位の位置へ移動する。図１０の場合は、図８の導光部６６に設けられた開口６６Ａは遮光部材７７に対向するので、導光部材１０２には光源１００からの光が導かれない。一方、導光部６６に設けられた開口６６Ｃは光源１００に対向する位置へ移動するので、導光部材１０３に光源１００からの光が導かれる。この結果、光源１００からの光が導光部材１０３を伝わって１／２ＥＶステップに対応する位置の透過照明窓３１Ｃを照明する。
【００３６】
上述したように、導光部材１０１に対しては光源１００からの光が常に入射されるので、導光部材１０１を伝わった光が１ＥＶステップに対応する位置の透過照明窓３１Ｂを照明する。以上の構成により、第３状態（Ｃ位置）においては、１ＥＶステップおよび１／２ＥＶステップの双方の透過照明窓３１Ｂ、３１Ｃが照明される。
【００３７】
なお、回転操作部材３０の回転量（回転角度）の検出は、例えば不図示の光学式エンコーダによって行う。エンコーダによる発生パルス数をカウントして回転量を検出する手法は公知なので、回転量検出に関する詳細細明は省略する。
【００３８】
上述した実施の形態によれば、次の作用効果が得られる。
（１）回転操作部材３０は、略円柱形状部材の上面７０Ａ、下面７０Ｃ、および側面７０Ｂにそれぞれ異なるピッチの凹凸パターンを有する節度部（穴７１、溝７２、不図示の穴）が形成された固定子部材７０と、節度部が形成された固定子部材７０の面と対向する面にそれぞれ凹凸パターンと弾接するプランジャ６１−１、２、６２−１、２、６３−１、２を有する回転子部材６０と、固定子部材７０と回転子部材６０との間でプランジャ６１−１、２、６２−１、２、６３−１、２が弾接する面を切り替えるように、固定子部材７０を移動させるための補正ステップ切り替えスイッチ３２と、を備え、回転子部材６０が固定子部材７０の中心軸Ａｘ回りに回転可能とした。これにより、節度ピッチの切り替え装置を小さくできる。
【００３９】
（２）補正ステップ切り替えスイッチ３２の操作に応じて、固定子部材７０が回転子部材６０に対して上下に移動して固定子部材７０と回転子部材６０との間でプランジャ６１−１、２、６２−１、２、６３−１、２が弾接する面を切り替えるようにしたので、簡単な構成で、弾接面（上面７０Ａ、下面７０Ｃ、および側面７０Ｂ）の切り替えを実現できる。
【００４０】
（３）固定子部材７０は、この側面７０Ｂと回転子部材６０との間で常にプランジャ６２−１、２を弾接させながら上下に移動するので、固定子部材７０のがたつきを抑え、節度感を生じさせるための位置決めが容易となる。また、固定子部材７０の側面７０Ｂに上下方向の溝７２によって凹部を構成したので、固定子部材７０が上下いずれの位置へ移動しても、プランジャ６２−１およびプランジャ６２−２が、固定子部材７０の側面７０Ｂを滑る状態と、側面７０Ｂに設けられている複数の溝７２のいずれかに嵌合する状態とを繰り返す。これにより、回転子部材６０の回転に伴って、側面７０Ｂの節度部により適切に節度感が得られる。
【００４１】
（４）固定子部材７０は、略円柱形状部材の上面７０Ａおよび側面７０Ｂにそれぞれ節度部（穴７１、溝７２）が形成され、補正ステップ切り替えスイッチ３２の操作に応じて、固定子部材７０の上面７０Ａおよび側面７０Ｂと回転子部材６０との間でプランジャ６１−１、２、６２−１、２が弾接する第１状態と、固定子部材７０の側面７０Ｂと回転子部材６０との間でプランジャ６２−１、２が弾接する第２状態と、が切り替わるようにしたので、２段階の節度ピッチの切り替えを適切に行える。
【００４２】
（５）固定子部材７０はさらに、略円柱形状部材の下面７０Ｃに節度部が形成され、補正ステップ切り替えスイッチ３２の操作に応じて、上記第１状態と、上記第２状態と、固定子部材７０の下面７０Ｃおよび側面７０Ｂと回転子部材６０との間でプランジャ６２−１、２、６３−１、２が弾接する第３状態と、が切り替わるようにしたので、３段階の節度ピッチの切り替えを適切に行える。
【００４３】
（６）固定子部材７０または回転子部材６０を回転させる露出補正ダイヤル３１に設けられ、固定子部材７０に形成された節度部（穴７１、溝７２、不図示の穴）の異なるピッチに対応する複数の照明表示窓３１Ａ，３１Ｂ、３１Ｃと、複数の照明表示窓３１Ａ，３１Ｂ、３１Ｃへそれぞれ照明光を導く複数の管状の側面漏光型光ファイバ１０１、１０２、１０３と、補正ステップ切り替えスイッチ３２の操作に応じた固定子部材７０または回転子部材６０の移動に連動して複数の側面漏光型光ファイバ１０１、１０２、１０３への光路切り替えを行う光路切り替え部（導光部６６、遮光部材７３、７７、透光部材７４、７５、光源１００）と、を備えるようにしたので、節度ピッチの切り替え状態を適切に照明表示できる。
【００４４】
（７）照明光を発する光源１００が固定子部材７０とともに移動して、照明光を入射する側面漏光型光ファイバ１０１、１０２、１０３を切り替えるようにしたので、簡単な構成で、適切に照明表示の切り替えを行える。
【００４５】
次のような変形も本発明の範囲内であり、変形例の一つ、もしくは複数を上述の実施形態と組み合わせることも可能である。
【００４６】
（変形例１）
以上の説明では、補正ステップ切り替えスイッチ３２が第１状態（Ａ位置）に切り替えられた場合において、１ＥＶステップおよび１／３ＥＶステップの双方の節度感を発生させる例を示したが、１／３ＥＶステップのみの節度感を発生させるようにしてもよい。同様に、補正ステップ切り替えスイッチ３２が第３状態（Ｃ位置）に切り替えられた場合において、１ＥＶステップおよび１／２ＥＶステップの双方の節度感を発生させる例を示したが、１／２ＥＶステップのみの節度感を発生させるようにしてもよい。
【００４７】
変形例１による回転操作部材３０において、固定子部材７０は、略円柱形状部材の上面７０Ａまたは下面７０Ｃと、側面７０Ｂとにそれぞれ節度部が形成され、補正ステップ切り替えスイッチ３２の操作に応じて、固定子部材７０の上面７０Ａまたは下面７０Ｃと回転子部材６０との間でプランジャ６１−１、６１−２または６３−１、６３−２が弾接する第１状態と、固定子部材７０の側面７０Ｂと回転子部材６０との間でプランジャ６２−１、６２−２が弾接する第２状態と、が切り替わるようにするので、２段階の節度ピッチの切り替えを適切に行える。
【００４８】
また、固定子部材７０の略円柱形状部材の上面と７０Ａ、下面７０Ｃと、側面７０Ｂとにそれぞれ節度部を形成した場合には、補正ステップ切り替えスイッチ３２の操作に応じて、固定子部材７０の上面７０Ａと回転子部材６０との間でプランジャ６１−１、６１−２が弾接する第１状態と、固定子部材７０の側面７０Ｂと回転子部材６０との間でプランジャ６２−１、２が弾接する第２状態と、固定子部材７０の下面７０Ｃと回転子部材６０との間でプランジャ６３−１、２が弾接する第３状態と、が切り替わるようにするので、３段階の節度ピッチの切り替えを適切に行える。
【００４９】
（変形例２）
上述した例では、回転操作部材３０を構成する回転子部材６０および固定子部材７０のうち固定子部材７０を、回転子部材６０に囲まれた空間内において上下に移動させるようにした。このため、回転子部材６０と一体で回転可能な露出補正ダイヤル３１は、カメラ１０の外部において上下に移動しない。この代わりに、回転操作部材３０を構成する回転子部材６０および固定子部材７０のうち回転子部材６０を、固定子部材７０に対して上下に移動させるように構成してもよい。
【００５０】
変形例２において、回転子部材６０と一体で回転可能な露出補正ダイヤル３１が、回転子部材６０の上下移動に伴ってカメラ１０の外部において上下に移動する。この場合、補正ステップ切り替えスイッチ３２を設ける代わりに、露出補正ダイヤル３１をカメラ１０の上面１２から上方へ引き出し可能に構成し、露出補正ダイヤル３１の引き出し量を段階的に切り替えることによって補正ステップを切り替える。変形例２によれば、補正ステップ切り替えスイッチ３２を省略することができる。また、ユーザーは、露出補正ダイヤル３１のみ操作するだけ（引き出したり、回転させたりする）で、補正ステップと補正量の双方の変更操作を行える。
【００５１】
（変形例３）
上述した説明では、固定子部材７０の上面７０Ａと、側面７０Ｂと、下面７０Ｃとにおいて、それぞれの面に節度感を生じさせるための穴（凹部）７１、溝（凹部）７２、不図示の穴を設ける例を説明した。この代わりに、固定子部材７０の上面７０Ａと側面７０Ｂとにおいてのみ穴７１、溝７２を設けたり、固定子部材７０の上面７０Ａと下面７０Ｃとにおいてのみ穴７１、不図示の穴を設けたり、固定子部材７０の側面７０Ｂと下面７０Ｃとにおいてのみ溝７２、不図示の穴を設けたりしてもよい。
【００５２】
（変形例４）
上記実施形態においては、回転操作部材３０を構成する回転子部材６０および固定子部材７０のうち、固定子部材７０の周りを、固定子部材７０を囲む回転子部材６０が回転する例を説明した。これとは逆に、回転子部材６０を回転させずに、回転子部材６０で囲まれている固定子部材７０を回転させるようにしてもよい。この場合の露出補正ダイヤル３１は、固定子部材７０と一体で回転するように構成する。
【００５３】
（変形例５）
上述した説明では、１本の導光部材で複数の透過照明窓を照明する例を説明した。透過照明窓の数が少ない場合には、個々の透過照明窓に対してそれぞれ導光部材を配線するようにしてもよい。光源１００と透過照明窓との間を個々に配線する場合は、側面漏光型光ファイバの代わりに側面漏光しない通常の光ファイバを用いて構わない。また、１つの光源１００の代わりに、発光色の異なる複数の光源を設け、各光源からそれぞれの透過照明窓へ向けて異なる色の照明光を導くように構成してもよい。
【００５４】
（変形例６）
上述した実施形態では、回転操作部材３０をカメラ１０における露出補正の設定値の変更用途に用いる例を説明したが、ＩＳＯ感度の設定値の変更用途や、シャッター速度の設定値の変更用途などにも使用することができる。
【００５５】
（変形例７）
回転操作部材３０を、カメラ１０以外の電子機器に用いてもよい。電子機器は、無線機や計測器など、周波数等の設定値の変更用途に使用することができる。また、例えば電子レンジなどの調理機器における調理時間の設定値の変更用途に用いてもよい。さらにまた、自動車などにおける制御値の設定値の変更用途に用いてもよい。
【００５６】
上記では、実施の形態および変形例を説明したが、本発明はこれらの内容に限定されるものではない。本発明の技術的思想の範囲内で考えられるその他の態様も本発明の範囲内に含まれる。
【符号の説明】
【００５７】
１０…カメラ
３０…回転操作部材
３１…露出補正ダイヤル
３１Ａ、３１Ｂ、３１Ｃ…透過照明窓
３２…補正ステップ切り替えスイッチ
６０…回転子部材
６１−１、２、６２−１、２、６３−１、２…プランジャ
６５…円筒部材
６６…導光部
７０…固定子部材
７０Ａ…上面
７０Ｂ…側面
７０Ｃ…下面
７１…穴
７２…溝
７３、７７…遮光部材
７４、７５…透光部材
７６…底部
１００…光源
１０１〜１０３…導光部材
【図１】
2015153576.tif 000003
【図２】
2015153576.tif 000004
【図３】
2015153576.tif 000005
【図４】
2015153576.tif 000006
【図５】
2015153576.tif 000007
【図６】
2015153576.tif 000008
【図７】
2015153576.tif 000009
【図８】
2015153576.tif 000010
【図９】
2015153576.tif 000011
【図１０】
2015153576.tif 000012